(57)【要約】インターフェース又はベースステーションが、携帯型ポイント・オブ・ケア患者モニタリング及び診断装置（ＰＣＰ装置）用に設けられ、前記ＰＣＰ装置の電池寿命を延ばすために前記ＰＣＰ装置に少なくとも電源入力を提供し、前記ＰＣＰ装置との両方向におけるデータ転送を容易化し、前記ＰＣＰ装置に対する向上されたデータ入力能力を提供し、前記ＰＣＰ装置に対するデータ出力／表示能力を提供する。前記ベースステーションの少なくとも一部は、向上された患者移動性のためにそれ自身が携帯型であり得る。
2004536636.tif 000002
【特許請求の範囲】
【請求項１】
少なくとも１つの生理学的モニタと、自身を介して前記モニタからの情報が通過されることができるＩ／Ｏポートと、電池と、電源ポートとを持つ型式のポイント・オブ・ケア患者（ＰＣＰ）装置用のベースステーションであって、前記ベースステーションが、
スロットが形成されたハウジングであって、前記スロットは、前記ＰＣＰ装置が単一方向のみで該スロット内に着座されることを可能にするように寸法決め及び成形されたハウジングと、
前記ＰＣＰ装置が前記スロット内に完全に着座された場合に前記ＰＣＰ装置のＩ／Ｏポートとインターフェースするように前記スロット内に配置されるステーションＩ／Ｏポートと、
前記ＰＣＰ装置が前記スロット内に完全に着座された場合に前記ＰＣＰ装置の電源ポートと電気的に相互接続するように前記スロット内に配置されるステーション電源ポートであって、該ステーション電源ポートには電力が少なくとも選択的に供給されるようなステーション電源ポートと、
を含むベースステーション。
【請求項２】
前記ステーションＩ／Ｏポートが、前記少なくとも１つのモニタからの情報を受信及び使用するプロセッサに接続される、請求項１に記載のベースステーション。
【請求項３】
電力のソース及び前記プロセッサが、前記ベースステーションから離れていて、適切なリンクにより前記ベースステーションに接続される、請求項２に記載のベースステーション。
【請求項４】
前記ステーションが、前記プロセッサと、出力機構と、入力機構とを含み、前記プロセッサが、前記ＰＣＰ装置から情報を受信し、前記出力機構において出力を制御し、少なくとも部分的に前記入力機構の制御下にある前記少なくとも１つのモニタを制御する入力を提供する、請求項２に記載のベースステーション。
【請求項５】
前記スロットが、前記ＰＣＰ装置が前記スロット内に完全に着座された場合に噛み合うラッチを含む、請求項１に記載のベースステーション。
【請求項６】
前記ラッチが、前記スロットからの前記ＰＣＰ装置の取り外しに対して幾らかの抵抗を示すが、このような取り外しを著しく妨げはしないソフトラッチである、請求項５に記載のベースステーション。
【請求項７】
前記Ｉ／Ｏポートが、両方とも光ポートである、請求項１に記載のベースステーション。
【請求項８】
前記電源ポートが、直流接続、誘導結合、及びＲＦ接続の１つである、請求項１に記載のベースステーション。
【請求項９】
少なくとも前記ステーションが前記スロット内に着座されたＰＣＰ装置を持ち、移動される場合に、前記ステーションを動作する電池を含み、前記ベースステーションが、このように携帯型である、請求項１に記載のベースステーション。
【請求項１０】
少なくとも１つの生理学的モニタと、自身を介して前記モニタからの情報が通過されることができるＩ／Ｏポートと、電池と、電源ポートとを持つ型式のポイント・オブ・ケア患者（ＰＣＰ）装置、及び
スロットが形成されたハウジングであって、前記スロットが、前記ＰＣＰ装置が単一方向のみで該スロット内に着座されることを可能にするように寸法決め及び成形されたハウジングと、前記ＰＣＰ装置が前記スロット内に完全に着座された場合に前記ＰＣＰ装置のＩ／Ｏポートとインターフェースするように前記スロット内に配置されるステーションＩ／Ｏポートと、前記ＰＣＰ装置が前記スロット内に完全に着座された場合に前記ＰＣＰ装置の電力ポートと電気的に相互接続するように前記スロット内に配置されるステーション電源ポートとを含み、該ステーション電源ポートには電力が少なくとも選択的に供給されるようなベースステーション、
を含む患者モニタリングシステム。
【請求項１１】
前記電池が、前記電源ポートを介して前記ＰＣＰ装置に供給された電力により充電されるように接続される、請求項１０に記載のシステム。
【請求項１２】
前記電源ポートを介して前記ＰＣＰ装置に供給された電力が、前記電池をバイパスし、これにより前記電池の寿命が延びる、請求項１０に記載のシステム。
【請求項１３】
前記ステーションＩ／Ｏポートが、前記少なくとも１つのモニタからの情報を受信及び使用するプロセッサに接続される、請求項１０に記載のシステム。
【請求項１４】
電力のソース及び前記プロセッサが前記ステーションから離れていて、適切なリンクにより前記ステーションに接続される、請求項１３に記載のシステム。
【請求項１５】
前記ステーションが、前記プロセッサと、出力機構と、入力機構とを含み、前記プロセッサが、前記ＰＣＰ装置から情報を受信し、前記出力機構において出力を制御し、少なくとも部分的に前記入力機構の制御下にある前記少なくとも１つのモニタを制御する入力を提供する、請求項１３に記載のシステム。
【請求項１６】
前記スロットが、前記ＰＣＰ装置が前記スロット内に完全に着座された場合に噛み合うラッチを含む、請求項１０に記載のシステム。
【請求項１７】
前記ラッチが、前記スロットからの前記ＰＣＰ装置の取り外しに対して幾らかの抵抗を示すが、このような取り外しを著しく妨げはしないソフトラッチである、請求項１６に記載のシステム。
【請求項１８】
前記Ｉ／Ｏポートが、両方とも光ポートである、請求項１０に記載のシステム。
【請求項１９】
前記電源ポートが、直流接続、誘導結合、及びＲＦ接続の１つである、請求項１０に記載のシステム。
【請求項２０】
前記ステーションが、少なくとも、前記ステーションが前記スロット内に着座されたＰＣＰ装置を持ち、移動される場合に、前記ステーションを動作する電池を含み、前記ステーションが、このように携帯型である、請求項１０に記載のシステム。
【発明の詳細な説明】
【技術分野】
【０００１】
本発明は、携帯型ポイント・オブ・ケア患者モニタリング及び診断装置に関し、より具体的には、少なくとも電源入力、データ転送、データ入力及びデータ出力／表示能力を提供するこのような装置用の携帯型の機械的及び電気的インターフェースに関する。
【背景技術】
【０００２】
携帯型ベッドサイド／ポイント・オブ・ケア患者診断及びモニタリング装置（ＰＣＰ装置）は、現在、患者に規定された領域内での歩行を可能にしながら、前記患者に関する診断情報を比較的安価にモニタ及び／又は提供するために、病院及び他の医療を提供する施設において広く使用されている。このような装置は、典型的には、生理学的モニタ、例えば心臓モニタ、非観血式血圧測定装置、飽和酸素モニタ又は様々な他のポイント・オブ・ケア検査装置を含む。このような装置は、一般には適切にプログラムされたマイクロプロセッサチップであるプロセッサ、又は前記プロセッサから受信された情報に対して非常に限られた機能を実行し、定期的若しくは要請／要求されたとき、例えば質問されたときの何れかに、トランスミッタ／レシーバに対して、このような処理の結果を送信する特殊用途プロセッサをも含むことができ、前記トランスミッタ／レシーバは、中央ステーションにおけるプロセッサ、例えば病室若しくはユニットに対するプロセッサ又は病院若しくは他の施設に対する中央プロセッサに対して前記情報を転送する。これらの装置は、前記中央ステーションプロセッサから前記トランスミッタ／レシーバユニットに対する制限された入力、例えば質問入力又は前記装置プロセッサに重要ではないプログラミングの変更を生じる入力を受信してもよい。このような装置は、前記トランスミッタ／レシーバユニットに加えて又はその代わりの何れかでＩ／Ｏポートをも持ち得、前記Ｉ／Ｏポートを介して前記装置は、モニタにより作成された若しくはプロセッサにより処理された情報の何れかを出力、及び／又は質問、再プログラミング若しくは他の適切な入力を受信の何れかを行うことができる。最後に、このような装置は、典型的には、前記生理学的モニタ、プロセッサ、トランスミッタ／レシーバユニット及び／又はＩ／Ｏポートに電力を供給する電池を持つ。
【０００３】
このような装置は有用であるが、これらは多数の制限をも持つ。第一に、このような装置の代価を可能な限り低く留めるには、これらは、典型的には、前記装置内に入力を提供する能力を持たないか、又は例えば患者が困難にある場合に押すことができるパニックボタンのような非常に制限された能力のみを持つかの何れかである。同様に、これらは、典型的には、介護人が前記装置自身からの情報を得ることを可能にするローカルディスプレイ又は他の機構を持たず、前記介護人は、もし要求されればこのような情報を得るために前記中央ステーションまで走るか、又は前記装置からの生理学的記録を決定するために、電話若しくはトランシーバ等により前記中央ステーションと通信するかの何れかを要求される。これは、看護婦又は他の看護人が回診中の場合には迷惑であり、前記介護人は、回診が終わった後に前記モニタからの情報を記入するか、回診の間にこのような情報を得るために前記中央ステーションまで走るか、又は前記情報を得ようとしてしばしば忙しい中央ステーションに電話をするかの何れかを行う必要がある。前記介護人が前記モニタ出力及び緊急時の対処に不可欠であり得る情報に対する容易なアクセスを持たない医療緊急事態においてはより一層大きな問題である。前記装置が患者に取り付けられた場合も問題であり、前記装置が正しい位置に取り付けられているか、及び良い接触がなされているかの両方を保証する必要がある。従来の装置を用いると、この情報は、取り付けを行う前記看護人にとってすぐに利用可能ではない。同様に、特定の薬物の投与又は他の医療処置の実行の間、時々、前記患者のモニタされた生理学的状態におけるこのような薬物又は処置の効果をモニタする必要があり、これは、従来のＰＣＰ装置を用いては容易に達成されないものである。
【０００４】
入力能力の欠如も、例えば回診中の介護人が前記装置の遠隔測定ユニットを介して前記中央ステーションに対して送信するために前記装置に対して情報を入力できない点で問題である。更に、このような装置は、前記患者を保護するために他の装置から電気的に絶縁されるので、このような装置がＩ／Ｏポートを持つ限りにおいて、これは、典型的には光ポートであり、前記介護人が前記装置と通信するために光ケーブルを所持すること、及び前記介護人が前記光ケーブルを介してＩ／Ｏ機能を実行することを可能にするために幾つかの型式の外部Ｉ／Ｏ装置、例えばハンドヘルド又はラップトップコンピュータを所持することを要求する。これは、前記介護人に回診のとき、又は医療緊急状態に応答するときに、付加的な装備を所持することを要求され、そのとき、前記Ｉ／Ｏ装置と前記ＰＣＰ装置との間の光接続を確立することを要求される点で、前記介護人に負担になり得、回診において前記介護人の効率を悪くさせ、医療緊急状態の発生において貴重な時間を取られる。従って、Ｉ／Ｏ能力が、ＰＣＰ装置と共に、速く及び容易に、並びに好ましくは十分廉価である装置を用いて確立されることができることが好ましいであろうし、これにより患者輸送状況を含む様々な状況において患者と共に留まることができる。
【０００５】
最後に、前記ＰＣＰ装置は電池で動くので、前記ＰＣＰ装置は、電池交換が必要になる前に限られた動作期間を持ち、装置上の電池不足は、前記患者が医療緊急状態の間にモニタされなくなるという結果を生じ、このような医療緊急状態の時を得た発見を妨げるので、装置における電池不足が起こらないように、電池が十分頻繁に交換されることは重要である。電池交換は、看護人により実行されるので、頻繁な電池交換は、時間及び材料の両方の点で高価であり得、前記電池の寿命が、患者の安全性を危険にさらすことなく可能な限り長く延ばされることができることが好ましい。
【発明の開示】
【発明が解決しようとする課題】
【０００６】
従って、従来のＰＣＰ装置は、有用な機能を持つが、このような装置を向上された電池寿命と、患者の場所における、より容易な入力／出力能力とを提供するような仕方において補う必要がある。
【課題を解決するための手段】
【０００７】
上記のことによると、本発明は、少なくとも１つの生理学的モニタと、自身を介して前記モニタからの情報が通過されるＩ／Ｏポートと、電池と、電源ポートとを持つ型式のポイント・オブ・ケア患者（ＰＣＰ）装置と共に使用するベースステーション又はインターフェースを提供する。前記ベースステーションは、スロットが形成されたハウジングであって、前記スロットが前記ＰＣＰ装置を単一の向きのみで該スロット内に着座することができるように寸法決め及び成形されたハウジングと、前記ＰＣＰ装置が前記スロット内に完全に着座される場合に前記ＰＣＰ装置のＩ／Ｏポートとインターフェースするように前記スロット内に配置されたステーションＩ／Ｏポートと、前記ＰＣＰ装置が前記スロット内に完全に着座される場合に前記ＰＣＰ装置の電源ポートと電気的に接続するように前記スロット内に配置されたステーション電源ポートとを含み、該ステーション電源ポートには電力が少なくとも選択的に供給される。前記ステーションＩ／Ｏポートは、前記ＰＣＰモニタからの情報を受信及び使用するプロセッサと接続されることができる。前記電力のソース及び前記プロセッサは、前記ベースステーションの残りの部分から離れていてもよく、適切な配線又は他の適切なリンクによりそこに接続されてもよく、又は前記ステーションが前記プロセッサを含んでもよく、また、出力機構及び入力機構をも含んでもよく、前記プロセッサは、前記ＰＣＰ装置から情報を受信し、出力機構において出力を制御し、少なくとも一部において前記ステーション入力機構の制御下にある前記ＰＣＰモニタを制御する入力を提供する。前記スロットは、好ましくは、前記ＰＣＰ装置が前記スロット内に完全に着座される場合に前記ＰＣＰ装置と噛み合うラッチを含み、前記ラッチは好ましくは“ソフトラッチ”であり、前記スロットからの前記ＰＣＰ装置の取り外しに対して幾らかの抵抗を示すが、このような取り外しを著しく妨げはしない。好ましい実施例に対して、前記Ｉ／Ｏポートは、両方とも光ポートであり、前記電源ポートは、直流接続（galvanic connections）、誘導結合又はＲＦ接続の何れかである。前記ベースステーションは、好ましくは、少なくとも前記ステーションがスロット内に取り付けられたＰＣＰ装置を持ち、移動される場合に、このステーションを動作する電池を含み、これにより前記ベースステーションを完全に携帯型にする。
【０００８】
本発明は、上述された型式のＰＣＰ装置と携帯型ベースステーションとの両方を含む患者モニタリングシステムをも含む。
【０００９】
上述したこと並びに本発明の他の目的、機能、及び利点は、添付図面に図示されたように本発明の好ましい実施例の、より具体的な以下の記述から明確になるだろう。
【発明を実施するための最良の形態】
【００１０】
図１，２および３を参照すると、本発明の患者モニタリングシステム10は、ポイント・オブ・ケア患者（ＰＣＰ）装置を受けるために形成されたスロット14を持つ携帯型ベースステーション12を含む。最も良く見られることができるように、例えば図３Ｂにおいて、ＰＣＰ装置16は、非対称の断面を持ち、スロット14は、ＰＣＰ装置16が単一の可能な向きのみでスロットとぴったり合うように対応する断面を持つ。図１及び３Ｂにおいて最もよく見られることができるように、順応性のあるラッチ18は、スロット14の後壁に形成されるか又は取り付けられるかの何れかであり、ラッチ18の進行側が、実質的に三角形の断面を持つ突起20を持ち、突起20の２つの延在する壁は、各々が好ましい実施例のために約４５度である。ラッチ18における応力は、比較的軽く、これによりＰＣＰ装置16がスロット14内に挿入される場合に、オペレータに対して、前記ＰＣＰ装置が前記スロット内に適切に着座されたことを示す触覚的、視覚的及び聴覚的表示を提供するために、並びに前記スロットからの前記ＰＣＰ装置の誤った取り外しを妨げるように、突起20が、その進行側により前記装置の道筋に容易にカム移動され、ＰＣＰ装置16がスロット14内に完全に着座された場合にＰＣＰ装置16上のショルダ22の後部に落ちる。しかしながら、ラッチ18は“ソフトラッチ”であり、前記ラッチにおける応力は、望まれた場合にオペレータによる前記スロットからの前記ＰＣＰ装置の取り外しを著しく妨げるのに十分ではなく、ヘッド20の後面の角度は、取り外しの力が装置16に加えられた場合、前記ヘッドがショルダ22を越えて容易に上がることを可能にする。
【００１１】
ステーション12は、好ましくは標準的な液晶ディスプレイ又は発光ダイオードアレイ等のようなフラットスクリーンディスプレイである表示画面24を持つ。前記装置は、前記装置に情報を入力するために使用されることができるキー又はボタン列26をも持つ。完全な英数字キーボードが設けられてもよく、前記キーボードは本発明の予想内にあり、示された説明用の実施例に対して、前記ディスプレイは、標準的には、当技術分野において既知である仕方で選択されたキーを操作することにより増加、減少、選択、及び他の方法で使用されることができるメニューである。更に、キーボード26が、前記図に示される前記説明用の実施例に対する入力機構として示されているが、これは、本発明における制限ではなく、他の適切な入力装置、例えば音声起動も使用されることができる。ステーション12は携帯型なので、前記ステーションは、前記ステーションを持ち運ぶための取っ手をも持つ。前記説明用の実施例に対して、ケーブル又は電線、例えば患者のリード線を、使用されていない場合に格納するために、ホルダ30が前記装置の裏側に設けられる。ホルダ30は、例えば、順応性があり、異なるサイズのケーブル／リード線が前記ホルダの後ろに詰め込まれることを可能にしてもよく、前記ケーブル／リード線が挿入され、次いで定位置に保持されることを可能にするために弾力性に富んで折り曲げられる。ソケット31は、スロット14の上に設けられ、例えば血圧接続のために使用されてもよく、他の適切なコネクタも、要求に応じて設けられてもよい。
【００１２】
より厳密に図２および４を参照すると、ラッチ18に加えて、スロット14は、通信ポート32及び電源接続ポート34をも含むことがわかる。好ましい実施例に対して、通信ポート32は、ＰＣＰ装置16の対応する光ポート36と通信する光ポート、例えば赤外線通信ポートである。しかしながら、ポート32及び36が、好ましい実施例に対して赤外線又は光ポートであるのは、これがインターフェースされた従来のＰＣＰ装置と通信する好ましい仕方であるからであるが、このようなポートの使用は、本発明における制限ではない。このように、このポートは、直流ポート、ＲＦポート、又は現在使用されているか若しくはこれから開発されるかの何れかの他の型式の通信ポートであることもできる。同様に、電源ポート34は、装置16における対応する端末又はポート38と結合する直流接続としてスロット14の後ろに示される。しかしながら、これは再び本発明の制限ではなく、電力伝達は、誘導結合及びＲＦ接続を含むが、それらに制限されない当技術分野において既知の他の仕方で果たされてもよい。重要なことは、ステーション12が、ＰＣＰ装置との通信及び電源接続の両方を、単に前記装置をスロット14内に取り付けることにより容易に提供することができることである。
【００１３】
図４は、ＰＣＰ装置16及び携帯型ベースステーション12の両方に対する説明用の回路構成の概略的表現であり、前記図は、ベースステーション12のスロット14内に取り付けられたＰＣＰ装置16を示す。ＰＣＰ装置16は、例えば心臓モニタ、非観血式血圧モニタ、飽和酸素モニタ、又は他の適したポイント・オブ・ケア検査装置であり得る生理学的モニタ40を含む。モニタ40は、適したケーブル42により患者44に接続される。モニタ40は、モニタ40からの出力を受信し、このような出力に対して、これらを出力のためにより良い形式に設定する何らかの処理を実行、例えばアナログからデジタルへの変換、データ圧縮、又は使用される出力機構により、より容易に出力される形式への変換等を実行するようにプログラムされた小さなプロセッサ46にも接続される。プロセッサ46は、例えば要求に応じて、記録取りを始動、記録の出力を始動、前記モニタ上の範囲を制御、又はモニタ40上の他の制御機能を実行するモニタ40に対する入力を提供することができる。プロセッサ46は、Ｉ／Ｏポート36から入力を受信し、そこにデータを出力し、また、アンテナ50に接続されたトランスミッタ／レシーバ（Ｔ／Ｒ）ユニット48からデータを受信し、そこにデータを送信する。Ｔ／Ｒユニット48及びアンテナ50は、特にＰＣＰ装置が16がベースステーション12内に取り付けられていない場合に、ステーションプロセッサ52又は施設の中央プロセッサ（図示されていない）にデータを送信し、そこからデータを受信するために使用されることができる。
【００１４】
以前指摘されたように、Ｉ／Ｏポート36は、プロセッサ46からベースステーション12のＩ／Ｏポート32にデータを送信するため、又はＩ／Ｏポート32を介して前記ベースステーションからデータを受信するために使用される。スロット14内のＰＣＰ装置16の適当なシーリング（sealing）は、Ｉ／Ｏポート32及び36がこのようなデータ転送を容易化するように適当に配列されることを保証する。
【００１５】
最後に、装置16は、装置16がスロット14内に適当に着座される場合にベースステーション12から電力を受け取るステーション電源ポート34と配列される電源ポート38と、電池54とを持つ。電池54は、標準的に、スイッチ56を介して装置16の電源バス58に接続され、前記電源バスは、Ｉ／Ｏポート36と、モニタ40と、プロセッサ46と、Ｔ／Ｒユニット48とを駆動するために接続される。電源ポート34及び38は、ベースステーション12からの電力が電源ポート38に供給されるように配列される場合、スイッチ56は、端末60に機械的に、磁気により又は他の方法により移されることができ、これによりバス58が、電池54ではなくベースステーション12から電力を受け取り、これにより電池54の浪費を減らし、寿命を延ばす。代わりに、端末60及びスイッチ56の端末62の両方が、電源バス58と接続されることができ、これにより前記バスが、両方の電源から並列に電力を得て、及び／又は電池54が、電力がベースステーション12から前記電源バスに供給される場合に電源ポート38を介して装置12から再充電される。いずれにしても、電池54の寿命は、ベースステーション12内に装置16を取り付けることにより延ばされ、ＰＣＰ装置16が電池検査及び交換の維持管理をせずに、大幅に長い期間動作することを可能にする。
【００１６】
ベースステーション12はプロセッサ64をも持ち、プロセッサ64は、好ましくはプロセッサ46より大きく、より用途の広いプロセッサであり、従ってプロセッサ46より大幅に多数の機能を実行するようにプログラムされることができる。プロセッサ64は、ディスプレイ24又はベースステーション12に対する他の適切な出力装置上に表れる出力を制御するために接続され、また、キーボード26から入力を受けるため、及び必要な範囲でそれに対して制御出力を提供するために接続される。最後に、プロセッサ64は、Ｉ／Ｏポート32から入力を受信し、そこに出力を提供するように接続され、また、バス66を介して、例えば前記施設の看護ステーションに配置されたステーションプロセッサ52又は前記施設の中央プロセッサに接続されることもできる。ベースステーション12は、標準的な壁コンセントに接続されることができるプラグ70で終端処理をされたラインコード68と、好ましくはＰＣＰ装置16の電池54より大きく、より強力な電池であるオプションの電池72とを持つ。電池72は、例えばドア73の後ろに取り付けられてもよい（図１）。電流が、ライン68に供給されていない場合、電源バス74は、電池72から電流を受け、電源バス74は、ディスプレイ24、キーボード26、ポート32及び34、並びにプロセッサ64を駆動するために接続される。プラグ70が接続されている場合、ライン68からの電流は、電池72と並列に電源バス74に供給されるか、又はバス74上の線電流が、電池72を充電するために使用されてもよい。電源バス74は、以前指摘されたように、装置16に電力を供給するために電源ポート34にも接続される。ベースステーション12の携帯性を最大化するため、及び電力不足の場合にその動作を保証するために、電池72の包含は明らかに好ましいが、前記ベースステーションは、電池72が除去されてもラインコード68のみから動作することもできる。
【００１７】
図５は、本発明の代替実施例を図示し、ベースステーション12は、スロット14及びポート32、34を含む部分12A並びにディスプレイ24、キーボード26、ラインコード68及び電池72を含む主要部分12Bに分割される。前記ベースステーションの部分12A及び12Bは、適切なケーブル76により相互接続される。図５の実施例は、ポイント・オブ・ケア、例えば患者のベッド、車椅子又はガーニーにおける空間が限られている場合の応用において有用であり、ベースステーション12の大部分が、より見やすく、前記介護人による、より容易な操作のため、及び依然として前記ＰＣＰ装置の取り付け及び取り外しを容易化するために前記患者の近くに結合スロット14を持つ場合に、前記患者に対する、より容易なアクセスを提供するために、前記ポイント・オブ・ケアから僅かに間隔をあけて配置されることは好ましい。図５の前記実施例は、また、プロセッサ64と、装置12の他の潜在的に電磁波を生成する構成要素とを、前記ポイント・オブ・ケアにおける他の機器から、このような装置間の潜在的な干渉を最小化するために隔離する。患者の移動性は、部分12A及び12Bをケーブル76ではなくＲＦ又は他の適切な遠隔通信装置によって連結することにより向上され得る。上で指摘された場合を除き、図５の前記実施例は、図１ないし４の前記実施例と同じ仕方において動作し、この以前の実施例に対して述べられたことは、図５の前記実施例に関して同様に適用される。
【００１８】
このように、ポイント・オブ・ケアにおける看護人が、前記患者に前記ＰＣＰ装置をより容易に取り付けることができ、前記ＰＣＰ装置に所望の情報を得るために質問することができ、例えば回診中又は緊急な状態において前記ポイント・オブ・ケアにおける前記ＰＣＰ装置により得られた情報をより速く、より容易に見ることができるように、ポイント・オブ・ケア入力及び出力能力を提供するように従来のＰＣＰ装置を単純に及び廉価に補う患者モニタリングシステムが設けられるので、より良い患者の看護及びより効率的な前記看護人の時間の使い方を容易化する。ベースステーション12は、前記ポイント・オブ・ケアに配置されてもよく、又は例えば回診中の前記看護人は、前記ＰＣＰユニットからのＩ／Ｏを容易化するためにベースステーションを持ち運んでもよい。装置12の使用は、また、このような装置の電池寿命を大幅に延ばすために前記ＰＣＰ装置の電池54を補い、及び／又は再充電し、このように検査のための要求される維持管理と前記電池の交換との間の時間が延ばされる。ベースステーション12は、看護人が前記ポイント・オブ・ケアにおいて情報を入力することをも可能にし、前記情報は、バス66を介してステーション若しくは中央プロセッサに出力され得るか、又はアンテナ50を介してＴ／Ｒユニット48により出力されるためにＩ／Ｏポート32及び36並びにプロセッサ46を介して送信され得るかの何れかである。最後に、ベースステーション12は、また、電池により動作可能なので、前記ステーションは、前記患者が危機的状況にある場合に前記看護人による患者の状態の継続される視覚的モニタリングを可能にするか、又は重病患者が、例えば車椅子でベッドサイドモニタを離れ、前記施設を動き回ることを可能にするために、前記患者が例えば手術のためにガーニーで輸送される場合にプラグを外され、前記患者に留まることもでき、その間に依然として前記患者自身又は看護人の何れかが前記患者の状況を容易にモニタし、及び／又は患者の緊急時に、より容易に応答する。
【００１９】
本発明が具体的に示され、好ましい実施例に関して上述され、選択された構成要素における様々な修正が検討されたが、他の修正もまた可能である。例えば、プロセッサ46及びあるいはプロセッサ64は、プログラム可能な装置ではなく、限られた機能を実行する特殊用途ハードウェア又はハイブリッド装置であることができる。適切な応用において、Ｔ／Ｒユニット48は存在しなくてもよく、及び／又はバス66は使用されなくてもよい。このように、本発明が具体的に示され、好ましい実施例に関して上述されたが、形式又は細部における上述の及び他の変更は、当業者によりそこに行われてもよいが、依然として、添付請求項によってのみ定義されるべき本発明の精神及び範囲内に留まる。
【図面の簡単な説明】
【００２０】
【図１】ＰＣＰ装置が取り付けられる寸前の本発明の説明用の実施例による携帯型ベースステーションの上正面の斜視図である。
【図２】図１に示される前記携帯型ベースステーションと、そこに取り付けられる寸前の前記ＰＣＰ装置との正面断面図である。
【図３Ａ】前記ＰＣＰ装置が取り付けられた図１に示される前記携帯型ベースステーションの、それぞれ正面図及び右側の図である。
【図３Ｂ】前記ＰＣＰ装置が取り付けられた図１に示される前記携帯型ベースステーションの、それぞれ正面図及び右側の図である。
【図４】説明用の実施例に対するＰＣＰ装置が取り付けられた携帯型ベースステーションの半概略的ブロック図である。
【図５】ＰＣＰ収容スロットが携帯型ベースステーションの残りから離れていて、適切なケーブルによりそこに接続されている本発明の代替実施例に対する、ＰＣＰ装置が部分的に取り付けられた前記携帯型ベースステーションの正面図である。
【図１】
2004536636.tif 000003
【図２】
2004536636.tif 000004
【図３Ａ】
2004536636.tif 000005
【図３Ｂ】
2004536636.tif 000006
【図４】
2004536636.tif 000007
【図５】
2004536636.tif 000008
【国際公開パンフレット】
2004536636.tif 000009
2004536636.tif 000010
2004536636.tif 000011
2004536636.tif 000012
2004536636.tif 000013
2004536636.tif 000014
2004536636.tif 000015
2004536636.tif 000016
2004536636.tif 000017
2004536636.tif 000018
2004536636.tif 000019
2004536636.tif 000020
2004536636.tif 000021
2004536636.tif 000022
2004536636.tif 000023
2004536636.tif 000024
2004536636.tif 000025
2004536636.tif 000026
【国際公開パンフレット（コレクトバージョン）】
2004536636.tif 000027
【国際公開パンフレット（コレクトバージョン）】
2004536636.tif 000028
2004536636.tif 000029
2004536636.tif 000030
2004536636.tif 000031
2004536636.tif 000032
2004536636.tif 000033
2004536636.tif 000034
2004536636.tif 000035
2004536636.tif 000036
2004536636.tif 000037
2004536636.tif 000038
2004536636.tif 000039
2004536636.tif 000040
2004536636.tif 000041
2004536636.tif 000042
2004536636.tif 000043
2004536636.tif 000044
2004536636.tif 000045
【国際調査報告】
2004536636.tif 000046
2004536636.tif 000047
2004536636.tif 000048